(57)【要約】【課題】煩雑な操作や設定を行うことなく、安定した映像を記録するためのアシスト機能をユーザに提供できるようにする。【解決手段】撮像手段と、前記撮像手段での撮像する方向が移動した際に移動方向を検出する検出手段と、前記検出手段で検出した移動方向に応じて、前記撮像手段で撮像している画像とともに、前記移動方向に対応するパターンのガイドを、複数のパターンのガイドのうちから選択して表示部に表示するように制御する表示制御手段とを設け、画角を変更しながら撮像を行う際に、画角の動きに合ったガイドのみを自動的に表示することができるようにする。【選択図】図３
2014225836.tif 000002
【特許請求の範囲】
【請求項１】
撮像手段と、
前記撮像手段での撮像する方向が移動した際に移動方向を検出する検出手段と、
前記検出手段で検出した移動方向に応じて、前記撮像手段で撮像している画像とともに、前記移動方向に対応するパターンのガイドを、複数のパターンのガイドのうちから選択して表示部に表示するように制御する表示制御手段と
を有することを特徴とする撮像装置。
【請求項２】
撮像手段と、
前記撮像手段での撮像する方向の移動を検出する第１の移動検出手段と、
前記第１の移動検出手段で検出した移動の移動方向を検出する第１の移動方向検出手段と、
前記第１の移動検出手段で検出した移動に対して、垂直方向への移動を検出する第２の移動検出手段と、
前記第２の移動検出手段で検出した移動の移動方向を検出する第２の移動方向検出手段と、
前記第２の移動検出手段で検出した移動の移動量を検出する移動量検出手段と、
前記撮像手段で撮像している画像とともに、前記移動方向に対応するパターンのガイドを、複数のパターンのガイドのうちから選択して表示部に表示するように制御する表示制御手段とを有し、
前記表示制御手段は、
前記第１の移動検出手段により撮像方向の移動を検出すると、撮像ししている画像とともに、前記第１の移動方向検出手段により取得した移動方向に対するガイドを表示し、
前記第２の移動検出手段により撮像方向に対して垂直方向への移動を検出すると、前記第２の移動方向検出手段により取得した移動方向と、前記移動量検出手段により取得した移動量に基づいてガイド位置をシフトして表示することを特徴とする撮像装置。
【請求項３】
撮像方向の移動を検出する手段として、加速度センサーを備えていることを特徴とする請求項１または２に記載の撮像装置。
【請求項４】
撮像方向の移動を検出する手段として、角速度センサーを備えていることを特徴とする請求項１または２に記載の撮像装置。
【請求項５】
前記表示制御手段は、
撮像している映像に予め１つ以上のガイドを表示し、撮像方向の移動を検出すると、移動方向に該当するガイドだけを表示することを特徴とする請求項１または２に記載の撮像装置。
【請求項６】
前記表示制御手段は、
撮像している映像に予め１つ以上のガイドを表示し、撮像方向の移動を検出すると、移動方向に該当するガイドとその他のガイドの表示形態を変えて表示することを特徴とする請求項１または２に記載の撮像装置。
【請求項７】
前記表示制御手段は、
映像を記録しているときに撮像方向の移動を検出してガイドを表示し、映像を記録していないときは撮像方向の移動を検出してもガイドを表示しないことを特徴とする請求項１または２に記載の撮像装置。
【請求項８】
前記表示制御手段は、
撮像装置の移動が止まると、ガイド表示を消すことを特徴とする請求項１または２に記載の撮像装置。
【請求項９】
前記表示制御手段は、
撮像方向の移動が止まると、ガイド表示を撮像方向の移動を検出する前の表示状態に戻すことを特徴とする請求項１または２に記載の撮像装置。
【請求項１０】
前記撮像手段は静止画を撮像し、
前記移動検出手段は、前記撮像手段のパノラマ撮影時における撮像方向の移動を検出することを特徴とする請求項２〜９の何れか１項に記載の撮像装置。
【請求項１１】
前記表示制御手段は、
前記第１の移動検出手段により撮像方向の移動を検出すると、撮像した映像に、前記移動方向検出手段により取得した移動方向に合わせて第１のガイドを表示し、
前記第２の移動検出手段により撮像方向に対して垂直方向への移動を検出すると、前記第２の移動方向検出手段により取得した移動方向と、前記移動量検出手段により取得した移動量に基づいて、第２のガイドを表示することを特徴とする請求項２に記載の撮像装置。
【請求項１２】
前記表示制御手段は、
前記第２のガイドは、前記第２の移動検出手段による移動方向とは逆の向きに、前記移動量検出手段により取得した移動量に基づいて表示することを特徴とする請求項１１に記載の撮像装置。
【請求項１３】
前記表示制御手段は、
前記第１の移動検出手段により撮像方向の移動を検出すると、撮像した映像に、前記第１の移動方向検出手段により取得した移動方向に合わせて第１のガイドを表示し、
前記第２の移動検出手段により撮像方向に対して垂直方向への移動を検出すると、前記第２の移動方向検出手段により取得した移動方向と、前記移動量検出手段により取得した移動量に基づいて、第２のガイドを表示し、
前記第１のガイドと前記第２のガイドの位置の差分を示す第３のガイドを表示することを特徴とする請求項１１に記載の撮像装置。
【請求項１４】
前記表示制御手段は、
前記第３のガイドは、前記第１のガイドと前記第２のガイドの差分を縮小すべく、撮像装置を移動する方向を示すように表示することを特徴とする請求項１３に記載の撮像装置。
【請求項１５】
撮像工程と、
前記撮像工程での撮像する方向が移動した際に移動方向を検出する検出工程と、
前記検出工程で検出した移動方向に応じて、前記撮像工程で撮像している画像とともに、前記移動方向に対応するパターンのガイドを、複数のパターンのガイドのうちから選択して表示部に表示するように制御する表示制御工程と
を有することを特徴とする撮像装置の制御方法。
【請求項１６】
撮像工程と、
前記撮像工程での撮像する方向の移動を検出する第１の移動検出工程と、
前記第１の移動検出工程で検出した移動の移動方向を検出する第１の移動方向検出工程と、
前記第１の移動検出工程で検出した移動に対して、垂直方向への移動を検出する第２の移動検出工程と、
前記第２の移動検出工程で検出した移動の移動方向を検出する第２の移動方向検出工程と、
前記第２の移動検出工程で検出した移動の移動量を検出する移動量検出工程と、
前記撮像工程で撮像している画像とともに、前記移動方向に対応するパターンのガイドを、複数のパターンのガイドのうちから選択して表示部に表示するように制御する表示制御工程とを有し、
前記表示制御工程は、
前記第１の移動検出工程において撮像方向の移動を検出すると、撮像ししている画像とともに、前記第１の移動方向検出工程において取得した移動方向に対するガイドを表示し、
前記第２の移動検出工程において撮像方向に対して垂直方向への移動を検出すると、前記第２の移動方向検出工程において取得した移動方向と、前記移動量検出工程において取得した移動量に基づいてガイド位置をシフトして表示することを特徴とする撮像装置の制御方法。
【請求項１７】
撮像工程と、
前記撮像工程での撮像する方向が移動した際に移動方向を検出する検出工程と、
前記検出工程で検出した移動方向に応じて、前記撮像工程で撮像している画像とともに、前記移動方向に対応するパターンのガイドを、複数のパターンのガイドのうちから選択して表示部に表示するように制御する表示制御工程と
をコンピュータに実行させることを特徴とするプログラム。
【請求項１８】
撮像工程と、
前記撮像工程での撮像する方向の移動を検出する第１の移動検出工程と、
前記第１の移動検出工程で検出した移動の移動方向を検出する第１の移動方向検出工程と、
前記第１の移動検出工程で検出した移動に対して、垂直方向への移動を検出する第２の移動検出工程と、
前記第２の移動検出工程で検出した移動の移動方向を検出する第２の移動方向検出工程と、
前記第２の移動検出工程で検出した移動の移動量を検出する移動量検出工程と、
前記撮像工程で撮像している画像とともに、前記移動方向に対応するパターンのガイドを、複数のパターンのガイドのうちから選択して表示部に表示するように制御する表示制御工程とをコンピュータに実行させるプログラムであって、
前記表示制御工程は、
前記第１の移動検出工程において撮像方向の移動を検出すると、撮像ししている画像とともに、前記第１の移動方向検出工程において取得した移動方向に対するガイドを表示し、
前記第２の移動検出工程において撮像方向に対して垂直方向への移動を検出すると、前記第２の移動方向検出工程において取得した移動方向と、前記移動量検出工程において取得した移動量に基づいてガイド位置をシフトして表示するようにコンピュータを制御することを特徴とするプログラム。
【請求項１９】
請求項１７または１８に記載のプログラムを記憶したことを特徴とするコンピュータ読み取り可能な記憶媒体。
【発明の詳細な説明】
【技術分野】
【０００１】
本発明は撮像装置及び撮像装置の制御方法に関し、特に、撮像装置におけるパン／チルトのアシスト機能に関するものである。
【背景技術】
【０００２】
カメラのフレームに入りきれない広大な風景などを収めるために、カメラを左右に振って撮影することをパン（パンニング）と呼ぶ。一方、フレームに入りきれないほど高さの建物などを収めるために、カメラを上下に振って撮影することをチルト（ティルティング）と呼ぶ。
【０００３】
パンやチルトは、動画撮影においては基本的な技術の一つであるが、操作に熟練していないと、撮影映像は上下／左右に波を打ったような落ち着きのない映像になってしまう。予めパンやチルトをすることが想定されているときは、三脚を使用することである程度は改善することができる。しかし、三脚をいつも携帯しているとは限らないため、どうしても手持ちで撮影を行わなければならないこともある。
【０００４】
そこで、特許文献１では、パンニングを検出したときに画像を補正することによって安定した映像を取得する方法が提案されている。この提案は、パンを検出したときに、基準を超えた振れを検出すると、撮影した映像の切り出し位置を変えて、画像補正を行うことによって安定した映像を得ることを特徴としている。
【０００５】
一方、デジタルカメラやデジタルビデオカメラの機能として一般的である、水平合わせや画角調整のためのガイドを、パンやチルトの際に参考にする方法が、撮影のアシスト機能として考えられる。この方法は、既存の機能を利用しているため手軽に実現することができる。
【先行技術文献】
【特許文献】
【０００６】
【特許文献１】特開２００６-１１５３２２号公報
【発明の概要】
【発明が解決しようとする課題】
【０００７】
しかし、特許文献１で提案されている方法は、画像補正できる範囲を超えた振れに対しては補正できないため、一度許容範囲から外れてしまうと、もとの状態に復帰させることが困難であるという課題がある。つまり、そのような状態にならないようにすることへの考慮、すなわち、撮影者が許容範囲内の安定した映像を撮影することへの考慮が十分であるとは言えなかった。
【０００８】
一方、水平合わせや画角調整のガイドは、必要なものが表示されているとは限らず、逆に表示されている以外の方向にパン／チルトする場合には、ガイドがかえって邪魔になるという課題があった。そのため、これだけでは、パン／チルトのアシスト機能として使用するには十分な機能であるとは言えなかった。
本発明は前述の問題点に鑑み、煩雑な操作や設定を行うことなく、安定した映像を記録するためのアシスト機能をユーザに提供できるようにすることを目的とする。
【課題を解決するための手段】
【０００９】
本発明の撮像装置は、撮像手段と、前記撮像手段での撮像する方向が移動した際に移動方向を検出する検出手段と、前記検出手段で検出した移動方向に応じて、前記撮像手段で撮像している画像とともに、前記移動方向に対応するパターンのガイドを、複数のパターンのガイドのうちから選択して表示部に表示するように制御する表示制御手段とを有することを特徴とする。
【発明の効果】
【００１０】
本発明によれば、パンやチルトに必要なガイドをパンやチルトに連動して表示することが可能となる。これにより、煩雑な操作や設定を行うことなく、安定した映像を記録するためのアシスト機能をユーザに提供できるという効果が得られる。
【図面の簡単な説明】
【００１１】
【図１】本発明の実施形態を示し、デジタルビデオカメラの構成例を示すブロック図である。
【図２】ガイド設定画面の一例を示す図である。
【図３】第１の実施形態の動作手順を説明するフローチャートである。
【図４】ガイド表示の初期状態の一例を説明する図である。
【図５】ガイド表示角度データの一例を説明する図である。
【図６】第１の実施形態におけるガイド表示の状態遷移例を説明する図である。
【図７】第２の実施形態の動作手順を説明するフローチャートである。
【図８】第２の実施形態におけるガイド表示の状態遷移例を説明する図である。
【図９】第１のガイド、第２のガイド、第３のガイドの表示例を説明する図である。
【図１０】垂直方向へのガイド表示の考え方の一例を説明する図である。
【発明を実施するための形態】
【００１２】
図１は、本発明を適用した撮像装置の一例である、デジタルビデオカメラ１００の構成例を示すブロック図である。
図１において、撮像部１は光学系レンズ、ＣＣＤ等の撮像素子、オートフォーカス機構、ズーム機構等からなり、カメラ制御部３の指示に従い、被写界に対して焦点や光量等を調整する。そして、レンズを通して結像された被写界の光学像を映像信号に変換し、カメラ信号処理部２に送出する。カメラ信号処理部２は、カメラ制御部３の指示に従い、映像信号に所定の信号処理を施して、記録系信号処理部６に送出する。
【００１３】
操作部１２の一部は、カメラ系に関する各種スイッチ、ダイヤル（ＡＦオン／オフ、ＡＥオート／ロック、プログラムＡＥ等）類から構成され、操作者からの指示をシステム制御部４を介してカメラ制御部３に送出する。カメラ制御部３は、マイクロコンピュータ等により構成され、システム制御部４、操作部１２の指示等によりカメラ系全体を制御する。
【００１４】
信号処理部５は、記録系信号処理部６と再生系信号処理部７とから構成され、システム制御部４の指示により、様々な記録・再生信号処理を行う。記録系信号処理部６は、カメラ信号処理部２から出力された信号に対して、所定の信号処理を施してシステム制御部４を介して記録媒体９に送出する。システム制御部４は、記録系信号処理部６から送られる映像信号を記録媒体９に記録する。記録媒体９は、ハードディスク、ＤＶＤ、フラッシュメモリなどからなり、システム制御部４の制御に従って映像信号を記録するとともに、記録した映像信号を再生する。
【００１５】
加速度センサー１０は、デジタルビデオカメラ１００の撮像方向の前後／左右／上下方向への移動を検出するためのセンサーであり、加速度センサー１０で取得したデータは撮像方向検出部１１に送られる。角速度センサー１３は、加速度の影響を受けない撮像方向への移動を検出するためのセンサーであり、加速度センサー１０と同様に取得したデータは撮像方向検出部１１に送られる。
【００１６】
撮像方向検出部１１は、加速度センサー１０と角速度センサー１３から取得したデータを基に、撮像方向の移動や移動量を取得し、システム制御部４に送る。システム制御部４では、撮像方向検出部１１から送られてきたデータに基づいて、撮像方向の移動の検出、撮像方向、表示するガイドの選択を行う。再生系信号処理部７では、記録媒体９から読み出したデータに所定の処理を施して再生する。
【００１７】
システム制御部４は、前述したデジタルビデオカメラ１００の各種機能を総合的に制御する制御部である。本実施形態においては、マイクロコンピュータ（ＣＰＵ４ａ）、制御プログラムを格納する不揮発性メモリであるＲＯＭ４ｂ、一時的に使用するデータを保管する揮発性メモリであるＲＡＭ４ｃ等から構成される。
【００１８】
操作部１２の一部は、ＶＴＲ系及び装置全体に関する各種スイッチ（[↑]、[→]、[↓]、[←]、[SET]、[END]、[PRINT]、[MENU]、[PLAY]、[FF/REW]、[STOP]、[START/STOP]等）から構成される。そして、操作者からの指示をシステム制御部４に送出する。操作部１２の一部、電源モードスイッチは、本体の電源モード（カメラ／切／ＶＴＲ）を選択するためのスイッチで、その状態をシステム制御部４に送出する。
液晶パネル８は、信号処理部５で処理された映像信号を画像として表示画面に映し出すと共に、文字や記号による本体の各種情報の表示や各種画面を映像に重畳して表示する表示部である。
【００１９】
図２は、本実施形態の制御を行うためのデジタルビデオカメラ１００の設定画面の一例を示す図である。
デジタルビデオカメラ１００の使用者は、映像の記録を行う前に、図２のガイド設定画面２００でガイド表示の動作の設定を行う。ガイド設定画面２００において、ＯＦＦ２０１は、撮像方向の移動を検出してもガイドを表示しない設定である。ＯＮ２０２は、撮像方向の移動を検出したときにガイドを表示する設定である。ＳＥＬＥＣＴ２０３は、予め複数のガイドを液晶パネル８に表示した状態から、撮像方向の移動検出に合わせて必要なガイドだけを表示する設定である。
【００２０】
＜第１の実施形態＞
本実施形態では、映像記録中にデジタルビデオカメラ１００の撮像方向の移動を検出したときに、移動方向に沿ってガイドを表示するための制御について記す。
図３は、本実施形態の制御を表すフローチャートである。ここでは、図２で示したガイド設定画面２００において、ガイドの設定を行ったことを前提にして、図３のフローチャートについて説明する。このフローチャートは、ＲＡＭ４ｂに格納されたプログラムをＲＡＭ４ｃに展開し、ＣＰＵ４ａが実行することにより実現される。
【００２１】
図３において、Ｓ３０１で図２のガイド設定の状態を確認する。ガイド設定がＯＦＦであれば、ガイド表示の処理はこれ以上行わない。Ｓ３０１でガイド設定がＳＥＬＥＣＴであれば、初期状態となるガイドを表示する（Ｓ３０２）。この設定で表示されるガイド表示の初期状態としては、例えば、図４のようなガイド表示が考えられる。
【００２２】
Ｓ３０１でガイド設定がＯＮであれば、ガイド表示の機能のみを有効にする。Ｓ３０３では、ガイドの初期状態をシステム制御部４にあるＲＯＭ４ａにバックアップし、後述する処理で参照する。
【００２３】
次に、映像記録中かどうかを確認し（Ｓ３０４）、映像記録中でなければＳ３０１に戻る。映像記録中であれば、Ｓ３０５へ進む。
Ｓ３０５では、加速度センサー１０及び角速度センサー１３のデータに基づいて撮像方向検出部１１から取得したデータから、システム制御部４で撮像する方向の移動を検出する第１の移動検出処理が行われているか否かの検出状況を確認する。
【００２４】
撮像方向の移動検出が行われていなければ、Ｓ３０１に戻る。撮像方向の移動が検出されていれば、システム制御部４は撮像方向検出部１１から移動角θを取得し、移動の移動方向を検出する第１の移動方向検出処理を行う（Ｓ３０６）。システム制御部４は、移動角θに最も近いデータθ'を図５のガイド表示角度データテーブルから取得する。そして、Ｓ３０７においてガイド選択処理を行い、移動角θに対応するガイドを選択する。次に、液晶パネル８に表示する表示制御を行う（Ｓ３０８）。例えば、移動角θが１０°であれば、図５のデータと照らし合わせて、（|θ-Data[1]|＝１０°）＜（|θ-Data[2]|＝３５°）よりθ'＝０°となるので、傾斜角は０°のガイドが選択される。
【００２５】
ガイドを表示した後、撮像方向検出部１１から取得したデータから、システム制御部４で撮像方向の移動が停止したか否かの検出状況を確認する（Ｓ３０９）。移動が継続している間はＳ３０９の判定が続けられ、移動が停止したと判定した場合には、Ｓ３０３でバックアップしたガイドの初期状態を参照し（Ｓ３１０）、初期ガイド表示がなしであれば液晶パネル上に表示されているガイドを非表示にする（Ｓ３１１）。Ｓ３１０において、初期ガイド表示がありであれば液晶パネル上に表示されているガイドを初期ガイド表示にする（Ｓ３１２）。
【００２６】
以上に説明したガイド表示の流れのイメージが、図６である。
図６において、（ａ）は初期状態のガイド表示、（ｂ）は移動中のガイド表示、（ｃ）は異動後のガイド表示を示している。
【００２７】
＜第２の実施形態＞
本実施形態では、映像記録中にデジタルビデオカメラ１００の撮像方向の移動を検出したときに、移動方向に沿って第１のガイドを表示し、垂直方向への移動を検出したときに第２のガイドを表示する。さらに、垂直方向への移動量に応じて第３のガイドを表示する制御について記す。
【００２８】
図７は、本実施形態の制御手順を表すフローチャートである。ここでは、図２において、ガイドの設定を行ったことを前提にして、図７のフローチャートについて説明する。このフローチャートは、ＲＡＭ４ｂに格納されたプログラムをＲＡＭ４ｃに展開し、ＣＰＵ４ａが実行することにより実現される。
図７において、Ｓ７０１〜Ｓ７０７については、第１の実施形態に記した図３のＳ３０１〜Ｓ３０７と同一の手順であるため、ここでは説明を省略する。
【００２９】
システム制御部４は、Ｓ７０６で取得した移動角θに最も近いデータθ'を図５のガイド表示角度データテーブルから取得し、Ｓ７０７において表示するガイドを選択した後に、液晶パネル８に第１のガイドとして表示する（Ｓ７０８）。また、本実施形態では、このときに第２のガイドの表示を同時に開始する（Ｓ７１３）。
【００３０】
次に、撮像方向の移動が停止したか否かの検出状況を確認し（Ｓ７０９）、移動が続いていれば、垂直方向への移動を検出する第２の移動検出処理が行われているか否かの検出状況を確認する（Ｓ７１４）。
垂直方向へ移動していれば、移動の移動方向を検出する第２の移動方向検出処理、および垂直方向への移動の移動量を検出する移動量検出を行い（Ｓ７１５）、取得した移動量に基づいてガイド位置をシフトして第２のガイドの表示状態を更新する（Ｓ７１６）。また、第１のガイドと第２のガイドの差分を縮小するためのガイドとして第３のガイドとして表示し（Ｓ７１７）、再び撮像方向の移動の確認に戻る（Ｓ７０９）。
【００３１】
第２のガイドの表示位置、及び第３のガイドの表示形態について、図８、図９及び図１０を使って、より詳細に説明する。
図１０において、１００１が被写体、１００２がカメラ、１００３が垂直方向への撮像方向の移動量、１００４が垂直方向の移動量を示す基準となる基準線、すなわち第１のガイドの位置を示す。カメラが基準線１００４に対して下向きに振れたと仮定すると、撮像方向の移動量１００３のように撮像方向は下に移動する。
【００３２】
この状況で、撮像方向の移動量１００３の移動量が少なくなるように撮影者に操作してもらうためには、基準線１００４に近づくようにカメラを上方向に向けてもらう必要がある。そこで、液晶パネル８に表示する第２のガイドを、基準線１００４に対して、修正操作量（ズレ量）１００５の分だけ上方とするように表示することで、撮影者に対して上方向への操作を促すようにする。これが図９における第２のガイド９０２であり、修正操作量１００５に相当する第３のガイドが図９の９０３となる。
【００３３】
撮像方向の移動を確認し（Ｓ７０９）、移動が停止したと判定した場合には、Ｓ７０３でバックアップしたガイドの初期状態を参照する（Ｓ７１０）。初期ガイド表示がなしであれば液晶パネル８上に表示されているガイドを非表示にする（Ｓ７１１）。Ｓ７１０において、初期ガイド表示がありの場合であれば、液晶パネル８上に表示されているガイドを初期ガイド表示にする（Ｓ７１２）。
【００３４】
以上に説明したガイド表示の流れのイメージを説明する図が、図８である。また、図９は、図８における第１のガイド９０１、第２のガイド９０２、第３のガイド９０３の表示例を示す図である。
図８において、（ａ）は初期状態のガイド表示、（ｂ）は移動中のガイド表示、（ｃ）は垂直移動を検出した場合のガイド、（ｄ）は異動後のガイド表示を示している。
【００３５】
カメラの動きを加速度センサーで検出し、パンする操作と判断すればその先のパンする操作を滑らかに行うためのガイドを表示する。チルトする操作と判断すればその先のチルトする操作を滑らかに行うためのガイドを表示する。すなわち、パン、チルトするカメラの初期動作に応じて自動的にその動きに適したガイドを表示する。これにより、どの動きをするのかをユーザが指定する操作を行わなくても適切なガイドを表示することができる。
【００３６】
第１の実施形態、第２の実施形態では、映像記録中にのみガイド表示の制御を行う例について説明をしてきたが、撮影の練習などの目的のために記録中以外にガイドを表示してもよい。
また、第１の実施形態、第２の実施形態では、撮像方向の移動を検出した後に、必要とするガイド以外を非表示とする例を説明したが、主となるガイド線以外のガイド線の色や輝度を変えて表示することで代用してもよい。
【００３７】
さらに、前述した実施形態においては、「−４５°」、「０°」、「＋４５°」、「９０°」のパターンのガイドを初期状態のガイドとして表示する例を示したが、ガイドの種類は任意に設定してもよい。具体的には、１０°刻み、３０°刻みのようなガイドを表示すると、使用者が任意の方向に撮像方向を移動させる場合にきめ細かくサポートすることができる。
【００３８】
また、第１の実施形態、第２の実施形態では、撮像方向の移動の停止を検出した後に、ガイドをバックアップした初期状態に戻す制御としているが、ガイド表示を必ず非表示にするなど、組合せとして考えられる他の制御を行ってもよい。
また、第２の実施形態では、第１のガイド表示と第２のガイド表示を何れも線で表しているが、撮像方向に沿ったガイドである第１のガイドと、撮像方向の垂直方向に対するガイドである第２のガイドの組み合わせであれば、ガイドの形態は限定しなくてもよい。
【００３９】
また、前述した実施形態では、動画を撮影する場合について説明したが、静止画のパノラマ撮影等を行う場合において行なわれるガイド表示にも適用することができる。
具体的には、撮影方向を動かすことにより撮影ができるカメラにおいて、従来はパノラマ撮影時のガイド表示を短手方向に出すか長手方向に出すかをユーザが設定しなければいけなかった。
【００４０】
しかし、本願発明によれば、パノラマ撮影モードに移行してからのカメラの初期移動方向に応じて自動的にパノラマ撮影時のガイド表示を短手方向に出すか長手方向に出すかを決定して表示するので、ユーザの操作手数を削減することができる。ガイド表示は、加速度センサーの出力に基づいてカメラが理想の動きに沿っているから外れているか否かを識別可能に表示すると好ましい。
【００４１】
なお、フローチャートの制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４２】
また、前述した実施形態においては、本発明をデジタルビデオカメラ、デジタルカメラに適用した場合を例にして説明したが、これはこの例に限定されず撮影機能を有する装置であれば適用可能である。例えば、ＰＤＡ、携帯電話端末や撮影機能を備えた電子ブックリーダーなどに適用可能である。
【００４３】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４４】
１  撮像部
２  カメラ信号処理部
３  カメラ制御部
４  システム制御部
４ａ  ＣＰＵ
４ｂ  ＲＯＭ
４ｃ  ＲＡＭ
５  信号処理部
６  記録系信号処理部
７  再生系信号処理部
８  液晶パネル
９  記録媒体
１０  加速度センサー
１１  撮像方向検出部
１２  操作部
１３  角速度センサー
【図１】
2014225836.tif 000003
【図２】
2014225836.tif 000004
【図３】
2014225836.tif 000005
【図４】
2014225836.tif 000006
【図５】
2014225836.tif 000007
【図６】
2014225836.tif 000008
【図７】
2014225836.tif 000009
【図８】
2014225836.tif 000010
【図９】
2014225836.tif 000011
【図１０】
2014225836.tif 000012